(57)【特許請求の範囲】
【請求項１】
第１の基板と第２の基板と隔壁によって形成された領域に絶縁性液体と泳動粒子が封入された画素を有する電気泳動方式表示装置であって、
前記第１の基板の前記絶縁性液体と対向する面に平面電極が形成され、前記隔壁の前記絶縁性液体と対向する面に隔壁電極が形成され、
前記平面電極と前記隔壁電極との間に印加される電圧によって画像表示され、
前記隔壁の、前記第１の基板の主面と平行な面で切った断面は前記第１の基板の前記主面と平行な方向にジグザグ状であることを特徴とする電気泳動方式表示装置。
【請求項２】
第１の基板と第２の基板と隔壁によって形成された領域に絶縁性液体と泳動粒子が封入された画素を有する電気泳動方式表示装置であって、
前記第１の基板の前記絶縁性液体と対向する面に平面電極が形成され、前記隔壁の前記絶縁性液体と対向する面に隔壁電極が形成され、
前記平面電極と前記隔壁電極との間に印加される電圧によって画像が表示され、
前記隔壁は、前記第１の基板の前記主面と平行な方向にクランク状に折れ曲がっていることを特徴とする電気泳動方式表示装置。
【請求項３】
第１の基板と第２の基板と隔壁によって形成された領域に絶縁性液体と泳動粒子が封入された画素を有する電気泳動方式表示装置であって、
前記第１の基板の前記絶縁性液体と対向する面に平面電極が形成され、前記隔壁の前記絶縁性液体と対向する面に隔壁電極が形成され、
前記平面電極と前記隔壁電極との間に印加される電圧によって画像が表示され、
前記隔壁には前記第１の基板の前記主面と平行な方向に突起が形成されていることを特徴とする電気泳動方式表示装置。
【請求項４】
前記平面電極の面積をＡとし、前記隔壁電極の面積をＢとしたとき、前記Ｂは前記Ａの９０％以上であることを特徴とする請求項１乃至請求項３のいずれか１項に記載の電気泳動方式表示装置。
【請求項５】
前記隔壁は第1の方向に延在し、
前記突起の前記第1の方向の幅は、前記隔壁の前記突起以外の部分における幅と同じであることを特徴とする請求項３に記載の電気泳動方式表示装置。
【請求項６】
前記隔壁は互いに対向する第１の辺と第２の辺を有して第１の方向に延在し、
前記第１の辺には、第１の前記突起が形成され、
前記第２の辺には、第２の前記突起が形成され、
前記第１の前記突起と前記第２の前記突起は、互いに対向する位置に形成されていることを特徴とする請求項３または５に記載の電気泳動方式表示装置。
【請求項７】
前記隔壁は互いに対向する第１の辺と第２の辺を有して第１の方向に延在し、
前記第１の辺には、第１の前記突起が形成され、
前記第２の辺には、第２の前記突起が形成され、
前記第１の前記突起と前記第２の前記突起は、前記第１の方向に互い違いに形成されていることを特徴とする請求項３または５に記載の電気泳動方式表示装置。
【発明の詳細な説明】
【技術分野】
【０００１】
本発明は表示装置に係り、特に電気泳動方式表示装置に関する。
【背景技術】
【０００２】
電気泳動方式表示装置は画素毎に荷電粒子（泳動粒子）を移動させることによって画像を形成するものである。電気泳動方式表示装置は低消費電力であり、薄型で軽量にすることが出来る。電気泳動方式表示装置は、液晶表示装置のように偏光板を使用しないので、明るさの点からも有利である。また、屋外で使用した場合にも高いコントラストを維持することが出来る。
【０００３】
電気泳動方式ディスプレイは種々の方式が開発されている。「特許文献１」に記載の電気泳動方式表示装置は、泳動粒子を画素毎に平面電極と隔壁電極との間で移動させることによって、画像を形成するものである。「特許文献１」には、荷電粒子の移動を速くして、応答スピードを上げるために、泳動粒子を引き付ける電極として、シート抵抗が１０２Ω〜１０１５Ωの抵抗膜を用いることが記載されている。
【０００４】
「特許文献２」に記載の電気泳動方式表示装置は、例えば、負に帯電した白色の泳動粒子と、正に帯電した黒色の泳動粒子を用い、上部基板の電極に印加する電圧によって白粒子を引き付けたり、黒粒子を引き付けたりすることによって個々の画素における明るさを制御することによって画像を形成することが記載されている。
【０００５】
本発明の電気泳動方式ディスプレイは、平面電極と隔壁電極を形成し、黒色の泳動粒子が、画素毎に白表示の際には隔壁電極に付着し、黒表示の際には平面電極に付着することによって画像を形成する方式のディスプレイである。
【先行技術文献】
【特許文献】
【０００６】
【特許文献１】特開２００７−４７２０８号公報
【特許文献２】特開２００８−８３４５０号公報
【発明の概要】
【発明が解決しようとする課題】
【０００７】
平面電極と隔壁電極を形成し、黒色の泳動粒子が、画素毎に白表示の際には隔壁電極に付着し、黒表示の際には平面電極に付着することによって画像を形成する方式のディスプレイおいては、画像に十分なメモリ性を持たせるためには、隔壁電極の面積と平面電極の面積を等しくする必要がある。
【０００８】
すなわち、電気泳動方式表示装置においては、泳動粒子が、一度平面電極、あるいは、隔壁電極に付着すると、各電極に印加されている電圧を切ったとしてもそのままの状態が維持されるメモリ効果を有する。したがって、電気泳動方式表示装置では、液晶表示装置のように、所定の状態を維持するために、画素電極に対して所定の電圧を維持しておく必要が無いので、消費電力の面で有利である。
【０００９】
このようなメモリ効果を十分に持たせるためには、隔壁電極と平面電極との面積を同じにする必要があるが、このためには、隔壁の高さを大きくする必要がある。しかし、隔壁の高さを高くすると、隔壁の強度が問題となり、隔壁の幅を大きくする必要がある。すなわち、隔壁はＴＦＴ基板と封止基板との間隔を規定するものであるから、所定の強度が必要とされる。隔壁の幅を大きくすると各画素における画像を形成するための平面電極の割合が小さくなり、その結果、画面の輝度が低下する。なお、「特許文献１」に記載の技術では、平面電極の面積と隔壁電極の面積についての、このような課題についての記載は無い。
【００１０】
本発明の課題は、電気泳動方式表示装置の明るさを維持しつつ、かつ、各画素における良好なメモリ性を維持することである。
【課題を解決するための手段】
【００１１】
本発明は上記問題を克服するものであり、具体的な装置の構成は次のとおりである。
【００１２】
（１）第１の基板と第２の基板と隔壁によって形成された領域に絶縁性液体と泳動粒子が封入された画素を有する電気泳動方式表示装置であって、前記第１の基板の前記絶縁性液体と対向する面に平面電極が形成され、前記隔壁の前記絶縁性液体と対向する面に隔壁電極が形成され、前記平面電極と前記隔壁電極との間に印加される電圧によって画像が表示され、前記隔壁は平面形状をジグザグ状とすることによって隔壁電極の面積を大きくする。
【００１３】
（２）本発明の別な構成は、平面で見た隔壁の形状を凹凸形状とすることによって隔壁電極の面積を大きくする。また、平面で見た隔壁の形状において、前記絶縁性液体の側に凸形状を形成することによって隔壁電極の面積を大きくする。
【００１４】
（３）また、隔壁によって囲まれる画素の形状を長方形とすることによって、画素の平面形状が正方形であった場合に比較して、隔壁電極の面積を相対的に大きくする。この時、長方形の長辺の大きさを長方形の短辺の大きさの３倍以上とするとより効果がある。また、画素の平面形状を長方形とし、かつ、（１）および（２）に記載の構成を組み合わせることによって、隔壁電極の面積をさらに大きくすることが出来る。
【発明の効果】
【００１５】
本発明によれば、隔壁の幅を小さくすることが出来るので、各画素の明るさあるいは透過率を向上させることが出来るため、輝度の大きい電気泳動方式表示装置を実現することが出来る。すなわち、本発明によれば、隔壁の幅を小さくすることに伴い、隔壁の高さを小さくする場合であっても、隔壁電極の面積を平面電極の面積と同等にすることが出来るので、電気泳動方式表示装置におけるメモリ効果を維持することが出来る。
【図面の簡単な説明】
【００１６】
【図１】電気泳動方式表示装置の断面図である。
【図２】実施例１の隔壁の形状を示す平面図である。
【図３】実施例１の隔壁の詳細形状を示す平面図である。
【図４】従来例の隔壁の形状を示す平面図である。
【図５】実施例１の隔壁の他の形状を示す平面図である。
【図６】実施例２の隔壁の形状を示す平面図である。
【図７】実施例２の隔壁の他の形状を示す平面図である。
【図８】実施例２の隔壁のさらに他の形状を示す平面図である。
【図９】実施例３の隔壁の形状を示す平面図である。
【図１０】実施例３の隔壁の他の形状を示す平面図である。
【図１１】実施例３の隔壁のさらに他の形状を示す平面図である。
【発明を実施するための形態】
【００１７】
以下に実施例によって本発明の内容を詳細に説明する。
【実施例１】
【００１８】
図１は、本発明が対象とする電気泳動方式表示装置における１画素の断面図である。図１において、画素は、隔壁１１０によって他の画素と区画されている。図１において、スイッチングのための薄膜トランジスタ（ＴＦＴ）が形成されているＴＦＴ基板１００と、隔壁１１０と封止基板２００とで囲まれた領域に絶縁性液体２０が封入されている。絶縁性液体２０には、黒色の泳動粒子１０が分散されており、泳動粒子１０が平面電極１３０と隔壁電極１２０との間の電位関係によって、矢印で示すように、平面電極１３０に付着したり、隔壁電極１２０に付着したりすることによって画素毎の明るさが決まる。
【００１９】
絶縁性液体２０としては、Ｓｉ系オイル等の絶縁性のものであればよい。泳動粒子１０としては、カーボンブラック、アニリンブラック等の黒色の粒子が使用されている。粒子の大きさは０．２μｍから２μｍ程度である。カラー表示する場合は、必要な色に着色した泳動粒子１０を使用することが出来る。
【００２０】
図１において、ＴＦＴ基板１００には、各画素に対して、映像信号を書き込むためのスイッチング作用を行うＴＦＴが形成されている。図１のＴＦＴには、ボトムゲート方式のＴＦＴ基板１００が用いられているが、トップゲート方式のＴＦＴを用いることも出来る。図１において、ガラスで形成されたＴＦＴ基板１００の上にゲート電極１０１が形成されている。ゲート電極１０１は例えば、ＭｏＷによって形成されている。
【００２１】
ゲート電極１０１を覆って、ゲート絶縁膜１０２がＳｉＮ膜によって形成されている。ＳｉＮ膜は、例えばＣＶＤによって形成される。ゲート絶縁膜１０２の上には、半導体層としてａ−Ｓｉ膜がＣＶＤによって形成されている。ａ−Ｓｉ膜の上には、ソース電極１０５、あるいはドレイン電極１０６とオーミックコンタクトを取るためのｎ型Ｓｉが形成されている。ｎ型Ｓｉ層１０４およびａ−Ｓｉ層１０３はドライエッチングによってパターニングされる。ｎ型Ｓｉに対応する部分にソース電極１０５およびドレイン電極１０６が形成される。ソース電極１０５は平面電極１３０と接続し、ドレイン電極１０６は映像信号線と接続する。
【００２２】
ソース電極１０５およびドレイン電極１０６を覆って有機パッシベーション膜１０７が形成される、有機パッシベーション膜１０７は平坦化膜としての役割も兼ねているので、２〜３μｍ程度と厚く形成される。なお、有機パッシベーション膜１０７とソース電極１０５あるいはドレイン電極１０６との間にＳｉＮ等による無機パッシベーション膜が形成されることもある。
【００２３】
有機パッシベーション膜１０７の上に平面電極１３０がｎ型Ｓｉによって形成される。有機パッシベーション膜１０７にスルーホールを形成することによって平面電極１３０とソース電極１０５を接続する。なお、平面電極１３０はｎ型Ｓｉに限らず、透明電極であるＩＴＯ等を使用することが出来る。ｎ型ＳｉはＣＶＤによって形成することが出来る。さらに平面電極１３０として金属電極を使用することも出来る。平面電極１３０に透明な電極を用いればバックライトを用いた透過型の表示装置として使用することが出来、平面電極１３０に反射率の高い金属電極を用いれば、反射型の表示装置として使用することが出来る。
【００２４】
図１において、平面電極１３０の周りには、隔壁１１０が形成される。隔壁１１０を形成する前に、上部絶縁膜１０８をＳｉＮによって厚さ５００ｎｍ程度に形成する。上部絶縁膜１０８の上にコモン配線１０９を形成する。コモン配線１０９は、抵抗の低いＡｌあるいはＡｌ合金等によって形成される。コモン配線１０９は隔壁電極１２０にコモン電位を与えるものであり、端子まで延在している。なお、ＴＦＴ基板１００には、ドレイン電極１０６と接続した映像信号線が、例えば、基板の平面縦方向に延在して横方向に配列し、とコモン配線１０９が基板の平面横方向に延在して縦方向に配列している。
【００２５】
図１において、コモン配線１０９の上は、隔壁１１０が樹脂によって２０μｍの高さに形成されている。隔壁１１０は、ＴＦＴ基板１００と封止基板２００の間隔を規定するものなので、所定の機械的な強度が必要である。隔壁１１０に対して所定の機械的な強度を持たせるためには、隔壁１１０は所定の幅を持つ必要がある。図１において、隔壁１１０の幅ｔは２０μｍである。
【００２６】
隔壁１１０は、アクリル等の感光性の樹脂を用いて形成される。感光性の樹脂は、例えばポジ型であれば、光が当たった部分のみが、現像液に可溶性となることによって、フォトレジストを用いずにパターニングすることが出来る。ネガ型の感光性樹脂はこの逆となる。
【００２７】
隔壁１１０を覆って隔壁電極１２０が例えば、ｎ型Ｓｉによって形成される。隔壁電極１２０と平面電極１３０はいずれもＣＶＤによるｎ型Ｓｉによって同時に形成することが出来る。図１に示すように、隔壁電極１２０が形成されるコモン配線１０９の下の上部絶縁膜１０８はコモン配線１０９に対してサイドエッチングされている。上部絶縁膜１０８がサイドエッチングされているために、同時に形成されたｎ型Ｓｉ膜は、隔壁１１０あるいはコモン配線１０９に形成された隔壁電極１２０と、有機パッシベーション膜１０７の上に形成された平面電極１３０とに自動的に分離される。
【００２８】
このように形成された画素において、ＴＦＴを介して供給された映像信号によって、泳動粒子１０が平面電極１３０に付着したり、隔壁電極１２０に付着したりして各画素における透過率あるいは明るさが制御される。平面電極１３０と隔壁電極１２０の間には、通常は１０Ｖ〜２０Ｖの電圧が印加されることによって泳動粒子１０の動きが制御される。
【００２９】
図１において、画素は、隔壁１１０の中央から隔壁１１０の中央までとして定義される。本実施例では、図１に示すように、画素の横方向の径ｄは１００μｍであり、図１には図示しない縦方向の径も１００μｍである。しかし、他の実施例においては、縦方向と横方向の径は異なっている。
【００３０】
図１は説明のために、平面電極１３０と隔壁電極１２０の両方の上を泳動粒子１０が単層で覆っている。しかし、実際には、平面電極１３０と隔壁電極１２０との電位関係によって、泳動粒子１０は平面電極１３０あるいは隔壁電極１２０のいずれかに付着する。電気泳動方式表示装置では、一度泳動粒子１０が電極に付着した後は、次の信号を与えるまで、電極に電圧を印加しなくともその状態が維持される。これはメモリ効果と称されるが、メモリ効果のために、電気泳動方式表示装置では消費電力を小さくすることが出来る。
【００３１】
メモリ効果を十分に発揮させるためには、平面電極１３０と隔壁電極１２０の面積が等しいことが望ましい、すなわち、泳動粒子１０が平面電極１３０上に付着する場合も、隔壁電極１２０上に付着する場合も、泳動粒子１０は１層で付着することが望ましい。
【００３２】
図１において、画素が１００μｍ×１００μｍの大きさで、隔壁１１０の幅が２０μｍであれば、平面電極１３０の面積は、８０μｍ×８０μｍ＝６４００μｍ２となる。一方、隔壁電極１２０の面積は、隔壁１１０の高さを２０μｍとすると、４×８０μｍ×２０μｍ＝６４００μｍ２であり、平面電極１３０と隔壁電極１２０の面積は等しい。しかし、この構成では、画素の面積１００μｍ×１００μｍ＝１００００μｍ２のうち、表示として使用できる面積は６４００μｍ２に過ぎない。
【００３３】
画素の面積一定のまま、表示面積を向上させるために、平面電極１３０の面積を大きくしようとすると、メモリ効果の要請から隔壁電極１２０の面積も同時に大きくしなければならない。そうすると、隔壁１１０の高さを大きくしなければならない。この場合、隔壁１１０の機械的な強度が問題となる。したがって、従来は、各画素における平面電極１３０の面積を大きくすることについては限界があった。
【００３４】
図２はこのような問題を解決する本発明の画素構造を示す平面図であり、９個の画素の平面図を示している。実際の表示装置では、多数の画素がマトリクス状に配置されて表示領域を形成している。図２において、画素はジグザグ状の隔壁１１０によって区画されている。隔壁１１０の内側に平面電極１３０が形成されている。隔壁１１０がジグザグ状に形成されているので、隔壁１１０の面積が増大している。このために、隔壁１１０の高さを高くしなくとも、隔壁電極１２０の面積を大きくすることが出来る。さらに、隔壁１１０の高さを小さくすることが出来るので、隔壁１１０の幅を小さくすることが出来、その結果、平面電極１３０の面積を大きくすることができ、輝度を向上させることが出来る。
【００３５】
図４は従来例における画素電極の平面図である。図４において、画素の１辺の長さｄは１００μｍ、隔壁１１０の幅は２０μｍである。この時の平面電極１３０の面積は６４００μｍ２であり、画素面積の６４％である。ここで、仮に隔壁１１０の幅を１０μｍに出来たとすると、平面電極１３０の面積は８１００μｍ２となり、隔壁１１０の幅が２０μｍの場合に比較して８１/６４＝１．２７となり、輝度を２７％増大させることができる。
【００３６】
しかし、単純に隔壁１１０の幅を小さくすると、隔壁１１０の強度が問題となる。本発明は、図２に示すように、隔壁１１０をジグザグ状にすることによって隔壁１１０の高さを小さくしても隔壁電極１２０の必要な面積を確保するようにするものである。図３は図２の隔壁１１０の１部拡大平面図である。隔壁１１０の高さを２０μｍから１５μｍに低くした場合、図３に示すθを１０２．２度とすると、平面電極１３０と隔壁電極１２０の面積を同じにすることが出来る。隔壁１１０の高さを１３μｍに低くした場合は、隔壁１１０をジグザグ状にした場合の、図３に示すθを７０．６度とすると、平面電極１３０と隔壁電極１２０の面積を同じにすることが出来る。
【００３７】
隔壁１１０をジグザグ状にすることによって、隔壁１１０が直線状の場合に比較して、隔壁１１０が同じ幅であっても、隔壁１１０の断面の面積が大きくなるので、２枚の基板の上下からの圧力に対する耐力は増大する。この点からも、隔壁１１０をジグザグ状にする効果を得ることが出来る。
【００３８】
図２および図３は、隔壁１１０をジグザグ状に形成することによって隔壁電極１２０の面積を大きくする構成である。しかし、かならずしもジグザグ状としなくとも、図５に示すような、頂点を丸くしたスネーク状の隔壁１１０としても同様な効果を得ることが出来る。
【実施例２】
【００３９】
図６は本発明の第２の実施例を示す画素部の平面図である。図６において、隔壁１１０には突起が形成されている。この突起が形成されていることによって隔壁１１０の実効的な面積が増大している。図６において、突起の幅と隔壁１１０の幅はｔ３であり、同一となっている。突起部にも隔壁電極１２０は形成されている。画素部の断面構造は、基本的に、図１と同様である。本実施例においても、隔壁１１０の高さを小さくしても隔壁電極１２０全体としての面積を実行的に大きくすることが出来るので、平面電極１３０と隔壁電極１２０の面積を同程度とすることが出来、電気泳動方式表示装置におけるメモリ効果を維持することが出来、消費電力が小さく、かつ、コントラストの高い表示装置を得ることが出来る。
【００４０】
図６は、突起の幅と隔壁１１０の幅は同一である。しかし、突起の幅と隔壁１１０の幅は同一である必要は無い。図７は本実施例の変形例である。図７において、突起１１１の幅ｔ４を隔壁１１０の幅ｔ３よりも小さくしている。これによって、より多くの数の突起を形成することが出来、隔壁電極１２０の面積を容易に大きくすることが出来る。したがって、平面電極１３０と隔壁電極１２０の面積を同等とすることを容易に行うことが出来る。
【００４１】
図８は本実施例のさらに他の例である。図８は隔壁１１０の平面をクランク状に折り曲げている例である。この構成においても隔壁電極１２０の面積を大きくすることが出来る。図８の構成は、隔壁１１０の幅を大部分の領域でほぼ同一とすることが出来るので、隔壁１１０の機械的な安定性が優れる。
【００４２】
以上の実施例では、隔壁１１０における突起の平面形状は矩形であるとして説明した。しかし、隔壁電極１２０の面積を大きくする目的からは、突起の平面形状は矩形である必要はなく、例えば、３角形、円形等とすることによっても効果を上げることが出来る。
【００４３】
このように、本実施例においても、隔壁１１０の高さを小さくしても、平面電極１３０の面積と隔壁電極１２０の面積を同等とすることが出来るので、隔壁１１０の幅を小さく抑えることが出来、それに伴って各画素における明るさを向上させることが出来る。
【実施例３】
【００４４】
実施例１および実施例２においては、隔壁１１０をジグザグ状あるいは隔壁１１０に突起を形成することによって隔壁電極１２０の面積を実質的に大きくし、隔壁１１０の高さを小さくした場合であっても、平面電極１３０と隔壁電極１２０の面積を同等にすることが出来る構成について説明した。
【００４５】
本実施例では、実施例１あるいは実施例２のような比較的複雑な形状としなくとも、平面電極１３０と隔壁電極１２０の面積を容易に同等にすることが出来る構成を与えるものである。図９は本実施例による画素の構成を示す平面図である。図９の画素構成が、図４に示す画素構成と異なる点は、図４における画素の平面形状が正方形であるのに対し、図９における画素の平面形状が長方形であるということである。
【００４６】
隔壁１１０の高さを小さくしても、平面電極１３０と隔壁電極１２０の面積を同等にするためには、隔壁電極１２０の面積ができるだけ大きくなる構成であることが必要である。平面電極１３０の面積が同一とした場合、平面電極１３０を長方形として、その縦横比をできるだけ大きくしたほうが、面積に対する周辺の長さの比は大きくなる。本実施例はこの原理を利用して、画素の平面形状を長方形として、隔壁電極１２０の面積を大きくする。
【００４７】
例えば、画素が長方形で縦横比を１：４であるとすると、画素が正方形の場合に比較して、隔壁電極１２０の面積を１０／８＝１．２５倍とすることが出来る。これは、その分、隔壁１１０の幅を小さくすることが出来ることを意味し、画素の透過率、あるいは、明るさを向上させることが出来る。
【００４８】
図９は、画素が縦長の場合を示しているが、画素が横長の場合であっても、上記の説明は全く同様にして適用することが出来る。すなわち、本実施例においては、隔壁１１０を複雑な形状にしなくとも、隔壁電極１２０の高さを小さくすることが出来、それに伴い、隔壁１１０の幅を小さくすることが出来、画素の透過率あるいは、画素の明るさを向上させることが出来る。長方形におけるアスペクト比（長径／短径）は３／１以上とすると目立った効果が期待できる。また、アスペクト比は原理的には大きいほどよいが、上限は、電気泳動方式表示装置の作り易さによって決めることになる。
【００４９】
図１０は本実施例における他の例であり、画素１個の隔壁１１０のみを描いた平面図である。図１０は実施例１のジグザグ状の隔壁１１０と、本実施例における長方形の画素との組み合わせである。本実施例を実施例１の隔壁１１０形状と組み合わせることによって、隔壁１１０の面積をより大きくすることが出来、したがって、隔壁１１０の高さを小さくすることが出来、画素の透過率あるいは明るさをより向上させることが出来る。
【００５０】
図１０は、画素形状を長方形とした本実施例と実施例１とを組み合わせた例であるが、このほかに、実施例１における図５に示す隔壁１１０形状、あるいは、実施例２における突起を形成した、図６、図７、図８等に示す形状と組み合わせることが出来る。これによってより効率的に隔壁電極１２０の面積を大きくすることが出来る。
【００５１】
図１０を基本に説明した例は、画素の形状を長方形とし、この画素形状と実施例１あるいは実施例２における形状とすることによって隔壁電極１２０の面積を大きくするものである。一方、画素を長方形とした場合は、長径に対して図２等の形状を適用すれば、隔壁電極１２０を大きくする効果が大きいし、製造も容易である。
【００５２】
図１１は、本実施例のように、画素を長方形として、この長方形の長径のみに実施例１の隔壁１１０の形状を適用した場合である。図１１では、隔壁１１０のみを記載している。同様に、長径のみに、実施例１における図５を適用した場合、実施例２における図６、図７、図８等を適用した場合にも隔壁電極１２０を大きくする効果を効率よくあげることが出来る。
【００５３】
実施例１〜３においては、平面電極１３０と隔壁電極１２０の面積を同程度とすることで説明した。この同程度とは、完全同一である必要は無い。平面電極１３０の面積をＡとし、隔壁電極１２０の面積をＢとした場合、ＢはＡの９０％以上あれば、十分なメモリ効果を維持することが出来る。また、隔壁電極１２０の面積とは、図１において、隔壁電極１２０が絶縁液体と対向している面積をいう。
【００５４】
ここで、「特許文献２」には、図１３に隔壁１１０の平面図の一部がジグザグ状である構成が記載されている。しかし、図１３に示す電気泳動方式表示装置は、本発明が対象とする電気泳動方式表示装置とは動作原理が異なるものであり、隔壁１１０をジグザグ状にする目的も本発明とは全く異なる。すなわち、「特許文献２」に記載の電気泳動方式表示装置は、上基板に表面電極を形成し、下基板に背面電極を形成し、負に帯電した黒色の粒子または正に帯電した白色の粒子を基板全の電極に吸い寄せることによって、映像を表現するものである。
【００５５】
「特許文献２」における隔壁１１０の一部をジグザグ状とする目的は、表面電極に吸い寄せられた粒子の隙間から、背面電極に吸い寄せられた粒子が見えてしまう現象を軽減することである。これに対して、本発明は、画素内における泳動粒子１０は１種類であり、泳動粒子１０をＴＦＴ基板１００の平面電極１３０あるいは、隔壁１１０の隔壁電極１２０に吸い寄せることによって画像を形成するものである。また、隔壁１１０をジグザグ状等にする目的は、隔壁電極１２０の面積を大きくして、電気泳動方式表示装置のメモリ効果を維持することである。これに対して「特許文献２」に記載の構成では、隔壁電極は存在しない。したがって、本発明における構成と「特許文献２」における構成とは全く異なるものである。
【符号の説明】
【００５６】
１０…泳動粒子、  ２０…絶縁性液体、  １００…ＴＦＴ基板、  １０１…ゲート電極、  １０２…ゲート絶縁膜、  １０３…ａ−Ｓｉ層、  １０４…ｎ型Ｓｉ層、  １０５…ソース電極、  １０６…ドレイン電極、  １０７…有機パッシベーション膜、  １０８…上部絶縁膜、  １０９…コモン配線、  １１０…隔壁、  １２０…隔壁電極、  １３０…平面電極、  ２００…封止基板。
【図１】
0005583541.tif 000002
【図２】
0005583541.tif 000003
【図３】
0005583541.tif 000004
【図４】
0005583541.tif 000005
【図５】
0005583541.tif 000006
【図６】
0005583541.tif 000007
【図７】
0005583541.tif 000008
【図８】
0005583541.tif 000009
【図９】
0005583541.tif 000010
【図１０】
0005583541.tif 000011
【図１１】
0005583541.tif 000012